(57)【特許請求の範囲】
【請求項１】
供給側リールから引き出された磁気テープが回転ドラムにヘリカルに巻き付けられ、巻取側リールに巻き取られるテープ走行系を有するテープローディング機構において、
上記回転ドラム入口側のテープ走行系では、上記供給側リールから引き出された磁気テープの非磁性面を巻き付けると共に当該磁気テープにひねりを与えてテープ走行方向及びテープ走行高さを変えている移動可能な第１の入口側テープガイドと、磁気テープの非磁性面が巻き付けられ上記回転ドラムに磁気テープをヘリカルに巻き付ける移動可能な第２のテープガイドと、上記第１及び第２の入口側テープガイドの間で磁気テープの磁性面を巻き付け上記第１のテープガイドにおけるテープ巻き付き角を変更する固定式の傾斜ガイドとからなり、上記回転ドラム出口側のテープ走行系では、上記回転ドラムから引き出された磁気テープを巻き付ける移動可能な第１の出口側テープガイドと、キャプスタン及びピンチローラと、上記巻取側リールに磁気テープを案内する移動可能な第２の出口側テープガイドとからなるテープローディング機構であって、
上記第１の入口側テープガイドがテンションレギュレータ機構のテープガイドであり、上記第１及び第２の入口側テープガイドはフランジ付きテープガイドで構成され、かつ該第２の入口側テープガイドではテープにひねりを与えないように構成され、
上記第１の入口側テープガイドと、上記テンションレギュレータ機構の回動支点を結んだ線分に対して上記第１及び第２の入口側テープガイド間の磁気テープの走行向きがほぼ直角な位置関係にある、
ことを特徴とするテープローディング機構。
【請求項２】
請求項１記載のテープローディング機構において、
記録，再生がデジタル信号によって行われる記録再生装置のテープローディング機構。
【発明の詳細な説明】
【０００１】
【発明の属する技術分野】
本発明は、例えばデジタル信号によって記録，再生が行われるＶＴＲ装置等の記録再生装置に使用して好適なテープローディング機構に関し、特に、テープガイドによって磁気テープを回転ドラムにヘリカルに巻き付けるためのテープ走行系に係わるものである。
【０００２】
【従来の技術】
従来、磁気テープが回転ドラムにヘリカルに巻き付けられて記録，再生動作が行われるＶＴＲ装置では、ドラム入口側のテープ走行高さとドラム出口側のテープ走行高さとは同一平面上にはない。一方、カセット式の磁気テープは２つのリールがカセット内に同一平面上に平行に収容されている。このため、一方のリールから引き出された磁気テープが回転ドラムに巻き付いたあと他方のリールに巻き取られるためには、回転ドラムの入口側及び出口側において磁気テープの走行平面を調整してやる必要がある。この調整の具体的手段として従来より「Ｕローディング方式」や「Ｍローディング方式」等がある。
【０００３】
しかし、上述したローディング方式には以下に述べるような問題があることが知られている。
【０００４】
Ｕローディング：磁気テープを回転ドラムの背面側までＵ字形に引き出すため、テープの走行系の占めるスペースが大きく必要となり、装置全体の小型に適さない。
【０００５】
Ｍローディング：回転ドラムの入口側と出口側にテープ巻き付き角の大きい傾斜ガイドが必要となる。尚、ここで言うテープ巻き付き角とは、テープガイドに巻き付けられたテープが入口側と出口側とで走行方向と共に走行高さが変更された際の入口側と出口側とのテープの成す傾斜角をいう。
【０００６】
この傾斜ガイドは磁気テープの走行方向及び走行高さを変更するのには有効であるが、次のような問題がある。
ａ、傾斜ガイドにはテープの走行位置を決めるフランジを設けることができな
いので、傾斜ガイドとは別にフランジを有する垂直ガイドが必要である。
ｂ、傾斜ガイドが回転ローラ化できないので、テープの巻き付き角が大きいときには走行抵抗が多くなりテープにダメージが生じる原因となる。
等といった理由から傾斜ガイドの使用本数を減らしたり、巻き付き角を小さくした方がよいとされている。
【０００７】
【発明が解決しようとする課題】
ところで、本発明の出願人は先に特願平６−２７５３１０号明細書により傾斜ガイドを使用せずコンパクトなテープ走行系を実現したテープローディング機構を提案している。このテープローディング機構は８ミリのビデオカメラに適用されたもので、走行系のテープに幅方向の中心を軸としてひねりを与えることでテープの走行方向及び走行高さを変えることで傾斜ガイドを不要にしたものである。
【０００８】
しかし、この種のテープローディング機構の回転ドラムに対するテープの記録トラック角は一例として４°５０′ぐらいであり、これに対して民生用のデジタル信号方式によるＶＴＲ装置の記録トラック角が９°１０′ぐらいに立っている場合に適用しようとすると、テープのひねり量が非常に大きくなりすぎ、このことはテープ走行抵抗が多くなってテープダメージが発生することから現実的ではない。
【０００９】
これを特願平６−２７５３１０号明細書のテープローディング機構を記録トラック角が立っているものに適用した例を図４及び図５を参照して説明する。図４はローディング状態の平面図であり、図５はカセット側から見たローディング状態の拡大正面図である。
【００１０】
カセット１の供給側リール２から引き出された磁気テープＴは、まず、支点軸４を中心として移動するテンションレギュレータアーム５のフランジ付きテープガイド６に非磁性面が巻き付けられる。このテープガイド６は外方へ所定角度傾斜させ供給側リール２から引き出された磁気テープＴにひねりを与えることで、テープガイド６の入口側と出口側とで磁気テープに巻き付き角が生じテープ走行方向及び走行高さを変更している。
【００１１】
テープガイド６に巻き付けられた磁気テープＴは移動ブロック７上に支持したフランジ付きテープガイド８に非磁性面が巻き付けられ、ここから回転ドラム９の入口側からリードに沿ってヘリカルに巻き付けられる。そして、回転ドラム９の出口側から引き出された磁気テープＴは移動ブロック１０上に支持したフランジ付きテープガイド１１に非磁性面が巻き付けられたあと、キャプスタン１２及びピンチローラ１３で挟み付けられ、その後、テープガイド１４に非磁性面が巻き付けられたあと巻取側リール１５に巻き取られる。
【００１２】
すなわち、磁気テープＴは供給側リール２から引き出され巻取側リール１５に巻き取られるために、供給側リール２から引き出された磁気テープにはテープガイド６によってひねりを与えて走行方向及び走行高さ変更して供給側リール２よりも高い位置にあるドラム入口側から回転ドラム９にヘリカルに巻き付けられ、そして、回転ドラム９の出口側から引き出された磁気テープにもテープガイド１１やピンチローラ１２及びテープガイド１４によって序々にテープ走行方向及び走行高さを変更して供給側リール２と同一平面上に有る巻取側リール１５に巻き取られるようにする必要がある。
【００１３】
しかしながら、回転ドラム９に対して磁気テープＴの記録トラック角θが８ミリのビデオカメラの場合に対して記録トラック角が立っているデジタル方式のＶＴＲ装置の場合には、特にテープガイド６により磁気テープＴにひねりを付与すると、図３に拡大して示すようにテープガイド６に対するテープ巻き付き角の角度θ０  が大きく必要となる。このため、テープガイド６を走行するテープの走行抵抗が極めて高くなりテープダメージの発生と共に、テープガイド６にはフランジを有することから、フランジ６ａにテープエッジが強く接触することとなりテープエッジの損傷も著しく発生する。以上のようなことから特願平６−２７５３１０号明細書のテープローディング機構をデジタル方式のＶＴＲ装置の場合ように記録トラック角が立っているものにそのまま適用することは現実的ではない。
【００１４】
本発明は、上述したような課題を解消するためになされたもので、従来からの傾斜ガイドを廃止すると共に、記録トラック角が立っているデジタル方式のＶＴＲ装置に適用しても１本の傾斜ガイドを付加することでテープ走行抵抗を低減することのできるテープローディング機構を得ることを目的とする。
【００１５】
【課題を解決するための手段】
上述の目的を達成するため、本発明によるテープローディング機構は、回転ドラム入口側のテープ走行系において、供給側リールから引き出された磁気テープの非磁性面を巻き付けると共に磁気テープにひねりを与えてテープ走行方向及びテープ走行高さを変えている移動可能な第１の入口側テープガイドと、磁気テープの非磁性面が巻き付けられ回転ドラムに磁気テープをヘリカルに巻き付ける移動可能な第２のテープガイドと、第１及び第２の入口側テープガイドの間で磁気テープの磁性面を巻き付け第１のテープガイドにおけるテープ巻き付き角を変更する固定式の傾斜ガイドとからなり、回転ドラム出口側のテープ走行系では、回転ドラムから引き出された磁気テープを巻き付ける移動可能な第１の出口側テープガイドと、キャプスタン及びピンチローラと、巻取側リールに磁気テープを案内する移動可能な第２の出口側テープガイドとからなるテープローディング機構であって、第１の入口側テープガイドがテンションレギュレータ機構のテープガイドであり、第１及び第２の入口側テープガイドはフランジ付きテープガイドで構成され、かつ該第２の入口側テープガイドではテープにひねりを与えないように構成され、第１の入口側テープガイドと、テンションレギュレータ機構の回動支点を結んだ線分に対して第１及び第２の入口側テープガイド間の磁気テープの走行向きがほぼ直角な位置関係にあることを特徴とする。
【００１６】
このように構成したことで、第１の入口側テープガイドへの磁気テープの巻き付き角を少なくすることができ、第１の入口側テープガイドを走行する磁気テープに走行負荷が殆ど発生せず、テープダメージを回避することができる。また、第１の入口側テープガイドが移動しても傾斜ガイドによる磁気テープの走行方向及び走行高さが変動することがない。
【００１９】
また、記録，再生がデジタル信号によって行われる記録再生装置のテープローディング機構に適用したことで、磁気テープに対して記録トラック角の立っている回転ドラムを有するテープローディング機構に使用して好適である。
【００２０】
【発明の実施の形態】
以下、本発明によるテープローディング機構の実施例をデジタル信号により記録，再生を行うＶＴＲ装置のテープローディング機構の場合を例にとって図面を参照して説明する。
【００２１】
図１はテープローディング機構のローディング状態の平面図、図２はローディング状態をカセット側から見た拡大正面図であり、図４及び図５で示したローディング機構と同一構成部分には同じ符号を付して説明する。
【００２２】
カセット１の供給側リール２から引き出された磁気テープＴは、支点軸４を中心として移動するテンションレギュレータアーム５のフランジ付きテープガイド６に非磁性面が巻き付けられ、このテープガイド６は外方へ所定角度傾斜させ供給側リール２から引き出された磁気テープＴにひねりを与えることで、テープガイド６の入口側と出口側とで磁気テープに巻き付き角が生じテープ走行方向及び走行高さを変更している。
【００２３】
テープガイド６に巻き付けられた磁気テープＴは移動ブロック７上に支持したフランジ付きテープガイド８に非磁性面が巻き付けられ、ここから回転ドラム９の入口側からリードに沿ってヘリカルに巻き付けられる。そして、回転ドラム９の出口側から引き出された磁気テープＴは移動ブロック１０上に支持したフランジ付きテープガイド１１に非磁性面が巻き付けられたあと、キャプスタン１２及びピンチローラ１３で挟み付けられ、その後、テープガイド１４に非磁性面が巻き付けられたあと巻取側リール１５に巻き取られる。
【００２４】
さて、上述したローディング機構では前述したようにテープガイド６に対するテープ巻き付け角が大きいことから磁気テープの走行抵抗が高くなり、テープダメージが発生することは先に説明した。
【００２５】
そこで、本発明ではテンションレギュレータ機構のテープガイド６と回転ドラム９の入口側のテープガイド８との間のテープ走行部分に固定式でフランジのない１本の傾斜ガイド１６により磁気テープの磁性面側を巻き付けることで、テープガイド６に対するテープ巻き付き角を小さくすることができるようにしたものである。
【００２６】
詳しくは傾斜ガイド１６は回転ドラム９側及びカセット１側に所定角度傾斜させることによって磁気テープの走行方向と共に走行高さを低く変更できることに着目した。すなわち、テープガイド６に巻き付けられ、その出口側から引き出される磁気テープＴは磁性面を傾斜ガイド１６に巻き付けることで走行高さを低く抑えることができ、図３に示すようにテープガイド６に対するテープ巻き付き角の角度θ１  を小さくすることでテープ走行抵抗を低くすることができ、テープダメージの発生を回避しすることができる。
【００２７】
尚、傾斜ガイド１６の出口側の磁気テープは走行高さが高くなってテープガイド８に巻き付けられるが、このテープガイド８ではテープにひねりは与えずテープ巻き付き角も小さいためテープ走行抵抗が高くなることはない。
【００２８】
また、傾斜ガイド１６の付加によって磁気テープにひねりを与えているテープガイド６の傾きは、図５で示したテープガイド６の傾きより少なくてすみ、従って、供給側リール２から引き出される磁気テープＴのひねり量も従来例で説明したひねり量が約９．３°に対して本発明では概ね６°ぐらいに少なくでき、よって、テープガイド６を走行する磁気テープに走行負荷が殆ど発生しないテープローディング機構となる。
【００２９】
また、テープガイド６に巻き付けられた磁気テープが傾斜ガイド１６に巻き付けられるテープ走行方向が、テープガイド６とテンションレギュレータアーム５の支点軸４を結んだ線分に対してほぼ直角な位置関係にされている。このことによってテープガイド６がテンションレギュレータ作用によって移動したとしても傾斜ガイド１６によるテープ巻き付き角は殆ど変化することはない。
【００３０】
以上のように本発明によるテープローディング機構は、回転ドラム９の入口側のテープガイド機構がテンションレギュレータに備えたテープガイド６と回転ドラム９にテープを巻き付けるためのテープガイド８とから構成されたテープローディング機構において、両テープガイド６，８の間に１本の傾斜ガイド１６を配置することで、記録トラック角の立ったデジタル信号により記録，再生を行うＶＴＲ装置のテープローディング機構においてもテープ走行抵抗を低くしテープダメージを回避することができるといった利点がある。
【００３１】
尚、本発明は、上述しかつ図面に示した実施例に限定されるものでなく、その要旨を逸脱しない範囲内で種々の変形実施が可能である。
【００３２】
実施例ではデジタル信号により記録，再生を行うＶＴＲ装置のテープローディング機構に適用した場合について説明したが、その他、記録トラック角の立っている記録及び／または再生装置のテープローディング機構に広く適用可能である。
【００３３】
また、本発明のテープローディング機構は、カセットが回転ドラム９側にスライド移動したあとテープが引き出されて回転ドラムにローディングされる方式や、カセットが回転ドラム９に対して離れた位置にあって、テープのみが引き出されて回転ドラムにローディングされる方式等のいずれの場合であってもよい。
【００３４】
【発明の効果】
以上説明したように、本発明によるテープローディング機構は、回転ドラム入口側のテープ走行系において、供給側リールから引き出された磁気テープの非磁性面を巻き付けると共に磁気テープにひねりを与えてテープ走行方向及びテープ走行高さを変えている移動可能な第１の入口側テープガイドと、磁気テープの非磁性面が巻き付けられ回転ドラムに磁気テープをヘリカルに巻き付ける移動可能な第２のテープガイドと、第１及び第２の入口側テープガイドの間で磁気テープの磁性面を巻き付け第１のテープガイドにおけるテープ巻き付き角を変更する固定式の傾斜ガイドとからなるテープローディング機構であって、第１の入口側テープガイドがテンションレギュレータ機構のテープガイドであり、第１及び第２の入口側テープガイドはフランジ付きテープガイドで構成され、かつ該第２の入口側テープガイドではテープにひねりを与えないように構成され、第１の入口側テープガイドと、テンションレギュレータ機構の回動支点を結んだ線分に対して第１及び第２の入口側テープガイド間の磁気テープの走行向きがほぼ直角な位置関係になるようにしたので、第１の入口側テープガイドが移動しても傾斜ガイドによる磁気テープの走行系及び走行高さが変動することがなく、また、第１のテープガイドを走行する磁気テープに走行負荷が殆ど発生することもなく、記録トラックの立ったデジタル信号により記録，再生を行うＶＴＲ装置のテープローディング機構においてもテープ走行抵抗を低くしテープダメージを回避することができるといった効果がある。
【００３５】
しかも、テープ走行抵抗が低くできたことでテープ駆動源の低消費電力化が図れると共に、テープガイド本数の削減化によりテープ走行調整が容易となる。
【００３７】
また、第１の入口側テープガイドをテンションレギュレータ機構のテープガイドとしたことで、１つのテープガイドでテープテンション機能と供給側リールから引き出されたテープのひねりを兼ねることができ、その分部品点数を削減できる。
【００３８】
また、記録，再生がデジタル信号によって行われる記録再生装置のテープローディング機構に適用したことで、磁気テープに対して記録トラック角の立っている回転ドラムを有するテープローディング機構に使用して最適である。
【図面の簡単な説明】
【図１】本発明によるテープローディング機構のローディング状態の平面図である。
【図２】同じくローディング状態を回転ドラム側から見た正面図である。
【図３】本発明の場合のテープ巻き付き角の説明図である。
【図４】従来例のテープローディング機構を記録トラックの立っている回転ドラムに適用した例の平面図である。
【図５】同じく回転ドラム側から見た正面図である。
【図６】図４の場合のテープ巻き付き角の説明図である。
【符号の説明】
１  カセット、２  供給側リール、５  テンションレギュレータアーム、６  テープガイド、８  回転ドラム入口側のテープガイド、９  回転ドラム、１１  回転ドラム出口側のテープガイド、１２  キャプスタン、１４  テープガイド、１５  巻取側リール、１６  傾斜ガイド、Ｔ  磁気テープ
【図１】
0003557793.tif 000002
【図２】
0003557793.tif 000003
【図３】
0003557793.tif 000004
【図４】
0003557793.tif 000005
【図５】
0003557793.tif 000006
【図６】
0003557793.tif 000007